(57)【特許請求の範囲】
【請求項１】
筐体に軸受構造体を設け、該筐体の前面を覆うパネルに前記軸受構造体にて支持される軸を有するアームを設け、前記アームおよび前記軸受構造体を介して前記筐体の前面側に前記パネルを着脱自在かつ回動自在に取り付けた空気調和機において、
前記軸受構造体を、前記筐体に固定されるベースと、前記ベースから水平方向前方に延出する突出片と、前記突出片の上面に対向するように前記ベースから延出して設けられ、該突出片の上面と共に前記アームの軸が装着可能な軸受部を形成する軸受形成片とにより構成するとともに、前記突出片の上面と下面を、前記軸受部の中心を円弧中心とする円弧面に形成し、
前記アームには、前記軸受部への軸装着時に前記突出片の下面側の前記円弧面に係合して前記軸と共に前記突出片を上下より挟持可能な挟持リブを設け、
さらに前記パネルが略水平方向に回動された際、前記突出片の前記軸と前記挟持リブとによる挟持が開放されることを特徴とする空気調和機。
【請求項２】
前記突出片を、前記ベースから水平方向前方に延出して先端が垂直面内で折り返されたコ字状片にて構成したことを特徴とする請求項１記載の空気調和機。
【請求項３】
前記突出片の下面側の円弧面と前記挟持リブとの係合が解かれる角度位置に至る途中の所定の角度位置にて前記アームと係合して、該アームを弾性保持可能な弾性片を前記ベースに設けたことを特徴とする請求項１又は請求項２記載の空気調和機。
【発明の詳細な説明】
【技術分野】
【０００１】
本発明は、筐体の前面側にパネルを回動自在に取付けた空気調和機に関する。
【背景技術】
【０００２】
従来より、筐体の前面側にパネルを回動自在に取付けた空気調和機は知られている。このようなものにおいて、パネルは、所定の角度で開いた状態で固定でき、ほぼ水平な状態で着脱可能に構成されている。例えば、筐体に設けた軸にパネルのアームの孔を嵌め込んでパネルを回動自在に支持した空気調和機において、アームに、パネルが所定方向になるまで回動されたときに筐体の方向からアームの孔に連なる第１の切欠きと、第１の切欠きの反対側に位置しアームの孔に通じる第２の切欠きと、アームから側方に突出させた固定片とを設け、筐体には、パネルを所定の斜め方向になるように回動させたときに固定片が引掛る引掛片を設けるとともに、この引掛片にパネルが所定の斜め方向まで回動されたとき前記固定片と嵌り合う嵌合部を形成している。これにより、パネルを所定の角度に開いた状態で固定できるとともに、パネルの方向が特定の方向、つまりパネルが水平になるまで回動させた状態で、押し引きすることにより、アームの孔部分が筐体側の軸に押圧されて弾性変形し、パネルを筐体から着脱することができるようにしたものがある（例えば、特許文献１参照）。
【先行技術文献】
【特許文献】
【０００３】
【特許文献１】特開平８−１５９５０８号公報（図５〜図７）
【発明の概要】
【発明が解決しようとする課題】
【０００４】
このように、従来の空気調和機は、アームの固定片を筐体側の引掛片の嵌合部に嵌合させることで、パネルを所定の角度で開いた状態で固定でき、またパネルが水平になるまで回動させた状態で、押し引きすることにより、アームの孔部分が筐体側の軸に押圧されて弾性変形して、パネルを筐体から着脱することができるように構成されている。
【０００５】
しかしながら、パネルを所定の角度に開いた状態でアームの固定片が嵌合される筐体側の引掛片は、その設置部の奥側で折り返された円弧状部に形成され、その自由端の外面に嵌合部が設けられ、さらにアームの孔部分も複数段の切欠き（第１の切欠きと第２の切欠き）により弾性変形可能に構成されているため、パネルを特定の角度で開いて固定している状態の時に、作業者が引っ張ったりすると、引掛片やアームの孔部分が共に変形し、筐体側の軸とパネルのアームの孔、及びアーム側の固定片と引掛片の嵌合部との係合が外れて、パネルが落下し破損する等の懸念があった。
【０００６】
本発明の技術的課題は、パネルを筐体に着脱可能な特定の角度を有し、それ以外の角度では筐体へのパネルの着脱を不可能とすることができるようにすることにある。
【課題を解決するための手段】
【０００７】
本発明に係る空気調和機は、下記の構成からなるものである。すなわち、筐体に軸受構造体を設け、筐体の前面を覆うパネルに軸受構造体にて支持される軸を有するアームを設け、アームおよび軸受構造体を介して筐体の前面側にパネルを着脱自在かつ回動自在に取り付けた空気調和機において、軸受構造体を、筐体に固定されるベースと、ベースから水平方向前方に延出する突出片と、突出片の上面に対向するようにベースから延出して設けられ、突出片の上面と共にアームの軸が装着可能な軸受部を形成する軸受形成片とにより構成するとともに、突出片の上面と下面を、軸受部の中心を円弧中心とする円弧面に形成し、アームには、軸受部への軸装着時に突出片の下面側の円弧面に係合して前記軸と共に突出片を上下より挟持する挟持リブを設け、さらにパネルが略水平方向に回動された際、突出片の前記軸と前記挟持リブとによる挟持が開放されるものである。
【発明の効果】
【０００８】
本発明に係る空気調和機においては、軸受構造体を、筐体に固定されるベースと、ベースから水平方向前方に延出する突出片と、突出片の上面に対向するようにベースから延出して設けられ、突出片の上面と共にアームの軸が装着可能な軸受部を形成する軸受形成片とにより構成するとともに、突出片の上面と下面を、軸受部の中心を円弧中心とする円弧面に形成し、アームには、軸受部への軸装着時に突出片の下面側の円弧面に係合して前記軸と共に突出片を上下より挟持する挟持リブを設け、さらにパネルが略水平方向に回動された際、突出片の前記軸と前記挟持リブとによる挟持が開放されるものであるので、特定角度以外の角度では筐体へのパネルの着脱を不可能とすることができる。このため、使い勝手が良く、安全で信頼性の高い空気調和機を得ることができる。
【図面の簡単な説明】
【０００９】
【図１】本発明の実施の形態に係る空気調和機の室内機をパネルを開いた状態で示す斜視図である。
【図２】本発明の実施の形態に係る空気調和機の室内機の側面視の断面図である。
【図３】本発明の実施の形態に係る空気調和機のパネルを背面側より示す斜視図である。
【図４】本発明の実施の形態に係る空気調和機のパネル取付部のパネル装着状態を拡大して示す斜視図である。
【図５】本発明の実施の形態に係る空気調和機のパネル取付部を拡大して示す分解斜視図である。
【図６】本発明の実施の形態に係る空気調和機のパネル取付部のパネル閉時の状態を拡大して示す縦断面図である。
【図７】本発明の実施の形態に係る空気調和機のパネル取付部のパネル開時の状態を拡大して示す縦断面図である。
【図８】本発明の実施の形態に係る空気調和機のパネル取付部のパネル水平開時の状態を拡大して示す縦断面図である。
【発明を実施するための形態】
【００１０】
以下、本発明の実施の形態について図に基づき説明する。
図１は本発明の実施の形態に係る空気調和機の室内機をパネルを開いた状態で示す斜視図、図２はその側面視の断面図である。
【００１１】
本実施の形態の空気調和機は、図１及び図２のように天面に吸込口１が形成された筐体２と、筐体２に回動自在に取付られたパネル３を備えている。パネル３は、前面がフラットに形成されている。また、筐体２は、吹出口４を有しており、吹出口４には風向変更板５が設けられている。なお、パネル３と筐体２で外装体が形成されている。
【００１２】
パネル３の背面側には、図３のように軸６を有する左右一対の回動用のアーム７が設けられ、このアーム７の軸６が、図４及び図５のように筐体２側の軸受構造体８の軸受部９へ嵌め込まれて支持されるようになっている。
【００１３】
軸受構造体８は、筐体２に固定されるベース１１と、ベース１１から水平方向前方に延出する突出片、ここではベース１１から水平方向前方に延出して先端が垂直面内で折り返されたコ字状片１２と、コ字状片１２の上面１２ａに対向するようにベース１１から延出して設けられ、コ字状片１２の上面１２ａと共にアーム７の軸６が装着可能な軸受部９を形成する軸受形成片１３とにより構成されているとともに、コ字状片１２の上面１２ａと下面１２ｂが、軸受部９の中心を円弧中心とする円弧面に形成されている。
【００１４】
一方、アーム７には、軸受部９への軸６の装着時に、コ字状片１２の下面（円弧面）１２ｂに係合（円弧面上を摺動）して軸６と共にコ字状片１２を上下より挟持する円弧状の挟持リブ１４が設けられている。
【００１５】
そして、コ字状片の下面１２ｂ側の円弧面と挟持リブ１４との係合が図８のように特定角度位置（パネル３が水平になる位置）にて解かれるように、コ字状片１２の下面１２ｂ側の円弧面の長さが設定され、前記特定角度位置でのみ軸６の軸受部９への着脱が可能となるように構成されている。
【００１６】
また、ベース１１には、コ字状片１２の下面１２ｂ側の円弧面と挟持リブ１４との係合が解かれる角度位置に至る途中の所定の角度位置（図７）にてアーム７の側面の凸部１５と係合してパネル３の荷重を受け、アーム７を保持する一対の弾性片１６が立設されている。
【００１７】
また、筐体２には、図１のように軸受構造体８を収容するための凹所が設けられており、この凹所に、軸受構造体８を係止するための引掛部１７が上側と下側に１ヶ所ずつ設けられ、さらに奥側に図６のように軸受構造体８を受けて固定保持する受部１８が設けられている。
【００１８】
軸受構造体８の軸受部９には、アーム７の軸６が嵌まり込みやすいように、図４及び図５のように先端が軸６の径より大きく開いたガイド９ａが設けられており、さらにガイド９ａの基端側の開口部９ｂは、軸６が抜けないように軸６の径より狭くなっている。軸受部９を構成するコ字状片１２は、軸６の嵌め込み時に変形して軸６を挿入し易くなるように板状の弾性形状をしており、特に強固な補強はない。
【００１９】
冷暖房等の運転中は、図６のようにパネル３が閉じた状態でコ字状片１２がアーム７の軸６と挟持リブ１４に挟み込まれる。すなわち、コ字状片１２の上面１２ａで軸６が支持され、コ字状片１２の下面１２ｂで挟持リブ１４と当接する。
【００２０】
パネル３が水平状態になった場合は、図８のように挟持リブ１４の位置がコ字状片１２の下面１２ｂとの係合位置から外れた位置となり、パネル３のアーム７の軸６を軸受部９から水平方向手前に引き抜くことで、主にコ字状片１２が変形し、パネル３を外すことができる。
【００２１】
次に、以上のように構成された空気調和機の動作について説明する。
運転が開始されると、筐体２の吸込口１から室内空気が吸い込まれ、図２に示す熱交換器３０で調温された後、風向変更板５で風向が変えられて吹出口４から吹き出される。このとき、室内空気の埃がフィルター２０で除去されて付着するため、例えば２週間に１回ぐらいはこのフィルター２０の清掃をすることが望ましい。この場合、パネル３の下端部を斜め前方に移動させるようにして、パネル３を回動させ、所定の斜め方向まで回動させると、図７のようにアーム７の凸部１５が軸受構造体８のベース１１上の弾性片１６の先端に乗り、開いた状態でパネル３が保持される。このとき、軸受部９のコ字状片１２の上面１２ａには、アーム７の軸６が支持され、コ字状片１２の下面１２ｂは、挟持リブ１４と当接しているので、作業者が例えパネル３を引っ張ることがあっても、軸受形成片１３とコ字状片１２の上面１２ａ間の開口部９ｂが広げられることはなく、パネル３が外れることはない。
【００２２】
パネル３が図１及び図７のように斜め下方向を向いた状態で支持されると、フィルター２０が露出するので、このフィルター２０を取り外し、埃を除去することができる。
【００２３】
空気調和機を運転させると、１次側の空気が吸込口１とパネル３裏側を通り、その後フィルター２０を通るものであるため、パネル３の裏側は静電気等により汚れやすい。このため、パネル３を筐体２から取り外し、水洗いするなどして汚れを除去するのが望ましい。
【００２４】
パネル３を取り外すには、まず最初にパネル３がほぼ水平の方向を向くまでパネル３を回動させる。すると、図８のように軸受構造体８のコ字状片１２の下面１２ｂに当接していた挟持リブ１４が上側にずれた状態になり、挟持リブ１４によるコ字状片１２の拘束が解かれる。次に、パネル３を手前に向けて引くと、コ字状片１２が下がりアーム７の軸６が軸受部９から外れるので、パネル３を取り外すことができる。これにより、パネル３を丸洗い洗浄できる。
【００２５】
パネル３の汚れを除去した後、パネル３を取り付けるのであるが、この場合は、取り外しと逆の順序でパネル３を取り付ける。まず最初に、パネル３を水平方向を向くように向けるとともに、アーム７を筐体２の軸受構造体８と対向するように位置合わせする。この状態で、前面側から背面側へとパネル３を押すと、アーム７の軸６によりコ字状片１２が根元から変形し（先端側の上下面１２ａ，１２ｂの間隔は変化しない）、アーム７の軸６が軸受部９に装着される。軸受部９の開口部９ｂは、アーム７の軸６の径より狭いため、軸６が外れることはない。この状態で軸６を支点としてパネル３の下端を弧を描くように回動させると、軸受部９のコ字状片１２の上面１２ａは軸６が支持されたままで、コ字状片１２の下面１２ｂは挟持リブ１４と当接し固定される。このため、パネル３が水平方向を向く角度以外で作業者が例えパネル３を引っ張るようなことがあっても外れることはない。そして、パネル３が下方向に向くまで回動させると、パネル３の取付けは終了する。
【００２６】
以上のように、本実施の形態の空気調和機においては、パネル３が水平方向を向く角度以外では、軸受構造体８のコ字状片１２の上面１２ａにアーム７の軸６が支持され、コ字状片１２の下面１２ｂは挟持リブ１４と当接し、コ字状片１２の先端側の上下面１２ａ，１２ｂの間隔は変化せず、強固に固定されているので、作業者がパネル３を水平にして外す行為をする時以外に、パネル３を掴み作業者の荷重が掛かったりしても、パネル取付部の部品形状の変形などにより簡単に外れて作業者が怪我をする危険性がなくなる。
【００２７】
なお、前述の実施の形態では突出片としてベース１１から水平方向前方に延出して先端が垂直面内で折り返されたコ字状片１２を例に挙げて説明したが、これに限るものでなく、例えばベースから水平方向前方にストレート状に延出する突出片として、その上面に軸受部を形成するとともに、その上下面を軸受部の中心を円弧中心とする円弧面に形成してもよい。この場合でも前述の実施の形態のものと同等の効果を奏する。
【００２８】
また、前述の実施の形態ではアームをパネル側に設置し、軸受構造体を筐体側に配置したものを例に挙げて説明したが、これらの位置関係は逆でもよい。その場合、設置位置は筐体上面側とし、パネル側に設けられる突出片（コ字状片）はパネル上端から上方に突出させ、軸受部の中心を円弧中心とする円弧面は突出片（コ字状片）の前面と背面に形成すればよい。この場合でも前述の実施の形態のものと同等の効果を奏する。
【符号の説明】
【００２９】
１  吸込口、２  筐体、３  パネル、４  吹出口、５  風向変更板、６  軸、７  アーム、８  軸受構造体、９  軸受部、９ａ  ガイド、９ｂ  開口部、１１  ベース、１２  コ字状片（突出片）、１２ａ  コ字状片の上面、１２ｂ  コ字状片の下面、１３  軸受形成片、１４  挟持リブ、１５  凸部、１６  弾性片、１７  引掛部、１８  受部、２０  フィルター、３０  熱交換器。
【図１】
0005349438.tif 000002
【図２】
0005349438.tif 000003
【図３】
0005349438.tif 000004
【図４】
0005349438.tif 000005
【図５】
0005349438.tif 000006
【図６】
0005349438.tif 000007
【図７】
0005349438.tif 000008
【図８】
0005349438.tif 000009